(57)【要約】【課題】  車等で走行中、屋外を監視中等に雨が降るとワイパーを動かし、ガラスに付いた雨滴を押し退ける方法を採っているが、ワイパーが前面を左右に動くので邪魔になり、その上、大雨の時は効果が弱くなる。本発明は、この問題点を解決するために成されたものである。【手段】  円形の透明なガラスをモータに取り付け、このモータを容器の下側に固定する。次に、容器の上側にモニターに映像を写すことのできるカメラを固定する。最後に、円形の透明なガラスの前面の下側に、円弧の形をしたワイパーを、容器に固定する。  以上の構成により成る、雨滴除去装置。【選択図】図１
2020011711.tif 000002
【特許請求の範囲】
【請求項１】
容器内の下側にはモータを、上側にはモニターに映像を写すことのできるカメラを容器に固定し、モータに円形の透明なガラスを取り付け、このガラスの前面の下側の位置に、円弧の形をしているワイパーが、円の外から円の中心方向に向かっているような状態で、容器に固定されている、雨天快速装置。
【発明の詳細な説明】
【技術分野】
【０００１】  本発明は、車等で走行中、降雨による視界の妨げを解消する装置に関するものである。
【背景技術】
【０００２】  従来、車等で走行中に雨が降ると、ワイパーを動かし、ガラスに付いた雨を押し退ける方法を採っているが、大雨の時は効果が弱くなる。
【発明の概要】
【発明が解決しようとする課題】
【０００３】  ワイパーが前面を左右に動くので視界の邪魔になり、その上、ワイパーの届かない所もある。
また、大雨の時は、ワイパーの動く速さに限度があり、雨を払拭しきれない。
本発明は、この問題点を解決するために成されたものである。
【課題を解決するための手段】
【０００４】  その手段は、図１のような円形で透明なガラス（１）を作り、このガラスを回す為にモータ（２）に取り付け、このモータ（２）を容器（３）の下側に固定する。【０００５】  次に、容器（３）の上側に監視カメラ等のモニターに映像を写すことのできるカメラ（４）を固定する。【０００６】  最後に、ガラス（１）の前面の図２の位置に円弧の形をしたワイパー（５）を容器（３）に固定する。
以上の構成により成る、雨天快速装置。
【発明の効果】
【０００７】  １．従前の、左右に動くワイパーと異なり、一方向に回転させる動きになるので、動力の効率が良くなり、そのためガラスを速く回転させることができる。
２．ワイパーを動かすのでは無く、ガラスの方を動かすので、雨の切れる場所を一ヵ所に集中することが出来、ガラスの上側は、綺麗に見ることができる。
３．図２の位置に、円弧の形をしたワイパーを固定すると、従前のワイパーのように雨を押し退けるのでは無く、雨の動きを斜めに受けて押し出すので、円の外側へも押し出す作用ができる。その上、円の外側に近づく程、斜めになる角度も大きくなり、外側へ押し出す力も大きくなる。
４．フロントガラスに比べ、円形のガラスは小さいので、雨を払拭する必要のある面積も少なくて良い。
５．円形のガラスは、回転しているので雨に遠心力が働き、外側へ動くので、払拭効果を高めることになる。
以上の理由により、雨天快速装置は、大雨、嵐の時にも対処することができる。
【発明を実施するための最良の形態】
【０００８】  モータ（２）は、雨天の際の雨の量によって、回転の速さを変える必要があるので、変則機能を有したモータを使用する。【０００９】  カメラ（４）は、周囲が暗くなるとセンサーが自動感知して、赤外線撮影に切り替わるカメラを使用する。ワイヤレスカメラは、映像が遅れるので使用しない。【００１０】  ワイバー（５）の構成は、従前のワイパー（ワイパーアーム、ブレード、ゴム）と同様にする。【００１１】  容器（３）は、防塵、防水、霜取り設備を有した容器を使用する。【００１２】  降雨の際、運転手はモニターを見ながら運転をすることになるが、モニターに、画面の明るさを調整する機能、赤外線撮影を写し出す機能等を有するモニターを使用することにより、便利になる面もある。
【産業上の利用可能性】
【００１３】  雨天快速装置は、自動車に使用することを前提に記載致しましたが、電車、船、ヘリコプター、飛行機等の乗り物、また、管制塔、展望台、監視塔等の建物にも使用することができるため、普及率は高いと考えております。
【図面の簡単な説明】
【００１４】
【図１】本発明の斜視図
【図２】本発明の正面図
【符号の説明】
【００１５】    １  円形で透明なガラス
２  モータ
３  容器
４  モニターに映像を写すことのできるカメラ
５  円弧の形をしたワイパー
【図１】
2020011711.tif 000003
【図２】
2020011711.tif 000004
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
容器内の下側にはモータを、上側にはモニターに映像を写すことのできるカメラを容器に固定し、モータに円形の透明なガラスを取り付け、このガラスの前面の下側の位置に、円弧の形をしているワイパーが、円の外から円の中心方向に向かっているような状態で、容器に固定されている、雨滴除去装置。
【手続補正２】
【補正対象書類名】明細書
【補正対象項目名】全文
【補正方法】変更
【補正の内容】
【発明の詳細な説明】
【技術分野】
【０００１】  本発明は、車等で走行中、屋外を監視中等、降雨による視界の妨げを解消する装置に関するものである。
【背景技術】
【０００２】  従来、車等で走行中、屋外を監視中に雨が降ると、ワイパーを動かし、ガラスに付いた雨滴を押し退ける方法を採っているが、大雨の時は効果が弱くなる。
【発明の概要】
【発明が解決しようとする課題】
【０００３】  ワイパーが前面を左右に動くので視界の邪魔になり、その上、ワイパーの届かない所もある。
また、大雨の時は、ワイパーの動く速さに限度があり、雨を払拭しきれない。
本発明は、この問題点を解決するために成されたものである。
【課題を解決するための手段】
【０００４】  その手段は、図１のような円形で透明なガラス（１）を作り、このガラスを回す為にモータ（２）に取り付け、このモータ（２）を容器（３）の下側に固定する。【０００５】  次に、容器（３）の上側に監視カメラ等のモニターに映像を写すことのできるカメラ（４）を固定する。【０００６】  最後に、ガラス（１）の前面の図２の位置に円弧の形をしたワイパー（５）を容器（３）に固定する。
以上の構成により成る、雨滴除去装置。
【発明の効果】
【０００７】  １．従前の、左右に動くワイパーと異なり、一方向に回転させる動きになるので、動力の効率が良くなり、そのためガラスを速く回転させることができる。
２．ワイパーを動かすのでは無く、ガラスの方を動かすので、固定されているワイパーにより、雨滴の切れる場所を一ヵ所に集中することが出来、ガラスの上側は、綺麗に見ることができる。
３．図２の位置に、円弧の形をしたワイパーを固定すると、従前のワイパーのように雨滴を押し退けるのでは無く、雨滴の動きを斜めに受けて押し出すので、円の外側へも押し出す作用ができる。その上、円の外側に近づく程、斜めになる角度も大きくなり、外側へ押し出す力も大きくなる。
４．フロントガラスに比べ、円形のガラスは小さいので、雨滴を払拭する必要のある面積も少なくて良い。
５．円形のガラスは、回転しているので雨滴に遠心力が働き、外側へ動くので、払拭効果を高めることになる。
雨量：５０ｍｍの時にモータの回転数：１２００回／ｍｉｎで実施をした所、問題も起きなかったので、上記の理由によるものと考えております。
【発明を実施するための最良の形態】
【０００８】  モータ（２）は、雨天の際の雨滴の量によって、回転の速さを変える必要があるので、変速機能を有したモータを使用する。【０００９】  カメラ（４）は、周囲が暗くなるとセンサーが自動感知して、赤外線撮影に切り替わるカメラを使用する。ワイヤレスカメラは、映像が遅れるので使用しない。【００１０】  ワイパー（５）の構成は、従前のワイパー（ワイパーアーム、ブレード、ゴム）と同様にする。【００１１】  容器（３）は、防塵、防水、霜取り設備を有した容器を使用する。【００１２】  降雨の際、運転中または監視中はモニターを見ることになるが、モニターに画面の明るさを調整する機能、赤外線撮影を写し出す機能等を有するモニターを使用することにより、便利になる面もある。
【産業上の利用可能性】
【００１３】雨滴除去装置は、自動車に使用することを前提に記載致しましたが、電車、船、ヘリコプター、飛行機等の乗り物、また、管制塔、展望台、監視塔等の建物にも使用することができるため、普及率は高いと考えております。
【図面の簡単な説明】
【００１４】
【図１】  本発明の斜視図
【図２】  本発明の正面図
【符号の説明】
【００１５】１．円形で透明なガラス
２．モータ
３．容器
４．モニターに映像を写すことのできるカメラ
５．円弧の形をしたワイパー
【先行技術文献】
【００１６】
【実用新案文献】
実開平５−２１３２